(57)【要約】  エレベータ制御盤においては、ケースの前面の開口部が表カバーにより開閉される。表カバーの幅方向一端部には、曲げ部が設けられている。曲げ部には、スリットが設けられている。ケースの側面には、スリットに沿って相対的に移動されることにより表カバーの開閉動作を案内するとともに、表カバーがケースから外れるのを阻止する軸部材が設けられている。スリットの形状は、表カバーを制御盤本体の前方へスライドさせてから上方へスライドさせることにより開口部が開放されるような形状となっている。
2014054134.tif 000002
【特許請求の範囲】
【請求項１】
前面に開口部が設けられているケースを有する制御盤本体、及び
前記開口部を開閉する表カバー
を備え、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっていることを特徴とするエレベータ制御盤。
【請求項２】
前記スリットの形状は、前記表カバーを上方へスライドさせてから前記軸部材を中心として前記表カバーを回転させて展開可能な形状となっていることを特徴とする請求項１記載のエレベータ制御盤。
【請求項３】
前記曲げ部は、前記表カバーの幅方向一端部を断面Ｚ形に曲げて形成されていることを特徴とする請求項２記載のエレベータ制御盤。
【請求項４】
前記軸部材は、前記スリットに通された軸部と、前記軸部の端部に設けられており、前記軸部材の前記スリットからの抜けを阻止する頭部とを有しており、
前記頭部と前記表カバーとの間には遊びが設けられており、遊びの分だけ前記表カバーが前記ケースの幅方向へスライド可能になっていることを特徴とする請求項１から請求項３までのいずれか１項に記載のエレベータ制御盤。
【請求項５】
前記表カバーは、全閉位置にあるときカバー固定ネジにより前記ケースに固定されており、
前記表カバーには、前記カバー固定ネジを通すダルマ孔が設けられていることを特徴とする請求項１から請求項４までのいずれか１項に記載のエレベータ制御盤。
【請求項６】
上方へスライドされた前記表カバーの下端を前記カバー固定ネジに掛けることにより、前記開口部が開放された状態が保持されることを特徴とする請求項５記載のエレベータ制御盤。
【請求項７】
前記表カバーは、第１の分割カバーと、前記第１の分割カバーの上に隣接して配置された第２の分割カバーとを含み、
前記第１及び第２の分割カバーのそれぞれに前記曲げ部及び前記スリットが設けられており、
前記軸部材は、前記第１の分割カバーに対応した第１の軸部材と、前記第２の分割カバーに対応した第２の軸部材とを含むことを特徴とする請求項１から請求項６のいずれか１項に記載のエレベータ制御盤。
【請求項８】
前記第１及び第２の分割カバーの前記スリットの形状は、前記第１及び第２の分割カバーを上方へスライドさせてから前記第１及び第２の軸部材を中心として前記第１及び第２の分割カバーを回転させて展開可能な形状となっており、
前記第１及び第２の分割カバーには、前記第１及び第２の分割カバーを展開した状態で結合して展開した状態に保持する結合部が設けられていることを特徴とする請求項７記載のエレベータ制御盤。
【請求項９】
前記第１の分割カバーの前記スリットの形状は、前記第１の分割カバーを上方へスライドさせてから前記第１の軸部材を中心として前記第１の分割カバーを回転させて展開可能な形状となっており、
前記第２の分割カバーの前記曲げ部には、フックが設けられており、
前記第１の分割カバーを展開した状態で前記フックに掛けることにより、前記第１の分割カバーの展開状態が保持されることを特徴とする請求項７記載のエレベータ制御盤。
【請求項１０】
昇降路内を昇降されるかご、及び
前記昇降路内に設けられており、保守作業が前記かご上から行われるエレベータ制御盤
を備え、
前記エレベータ制御盤は、前面に開口部が設けられているケースを有する制御盤本体と、前記開口部を開閉する表カバーとを備えており、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっていることを特徴とするエレベータ装置。
【請求項１１】
前記かごの上部に安全柵が設けられており、
前記表カバーは、前記かご上の床面を前記表カバーの下端と同じ高さにしたとき、前記安全柵の上端よりも上方までスライド可能になっていることを特徴とする請求項１０記載のエレベータ装置。
【発明の詳細な説明】
【技術分野】
【０００１】
この発明は、制御盤本体のケースの開口部が表カバーにより開閉されるエレベータ制御盤及びそれを用いたエレベータ装置に関するものである。
【背景技術】
【０００２】
従来のエレベータ制御盤では、前面カバーが上下方向に３つに分割されている。また、これらのカバーは蓋式であり、本体パネルの前面を開放する場合には、本体パネルからカバーが完全に取り外される（例えば、特許文献１参照）。【０００３】
また、従来の他のエレベータ制御盤では、カバーの幅方向一端部が複数のヒンジを介して箱体に接続されている（扉式）。このため、箱体の前面を開放する場合には、ヒンジを中心としてカバーが回動され展開される（例えば、特許文献２参照）。
【先行技術文献】
【特許文献】
【０００４】
【特許文献１】特開２００２−３３８１５２号公報（図１）
【特許文献２】特開２００８−１５０１６１号公報（図３）
【発明の概要】
【発明が解決しようとする課題】
【０００５】
一般に、機械室レスエレベータでは、制御盤が昇降路内に設置される。このため、制御盤の設置位置（高さ）によっては、制御盤に対する保守作業をかご上から行う必要が生じる。これに対して、従来の蓋式のカバーを有する制御盤では、カバーが本体から切り離されるため、落下に対する予防措置を講ずる必要があった。【０００６】
また、かご上には作業者の安全のために安全柵が設けられているため、従来の扉式のカバーを有する制御盤では、カバーがかご又は安全柵と干渉し、カバーを展開させることが困難になってしまう。【０００７】
この発明は、上記のような課題を解決するためになされたものであり、表カバーとかご及び安全柵との干渉を避けつつ、表カバーを制御盤本体に接続したまま、開口部を開放することができるエレベータ制御盤及びそれを用いたエレベータ装置を得ることを目的とする。
【課題を解決するための手段】
【０００８】
この発明に係るエレベータ制御盤は、前面に開口部が設けられているケースを有する制御盤本体、及び開口部を開閉する表カバーを備え、表カバーの幅方向一端部には、曲げ部が設けられており、曲げ部には、スリットが設けられており、ケースの側面には、スリットに沿って相対的に移動されることにより表カバーの開閉動作を案内するとともに、表カバーがケースから外れるのを阻止する軸部材が設けられており、スリットの形状は、表カバーを制御盤本体の前方へスライドさせてから上方へスライドさせることにより開口部が開放されるような形状となっている。
また、この発明に係るエレベータ装置は、昇降路内を昇降されるかご、及び昇降路内に設けられており、保守作業がかご上から行われるエレベータ制御盤を備え、エレベータ制御盤は、前面に開口部が設けられているケースを有する制御盤本体と、開口部を開閉する表カバーとを備えており、表カバーの幅方向一端部には、曲げ部が設けられており、曲げ部には、スリットが設けられており、ケースの側面には、スリットに沿って相対的に移動されることにより表カバーの開閉動作を案内するとともに、表カバーがケースから外れるのを阻止する軸部材が設けられており、スリットの形状は、表カバーを制御盤本体の前方へスライドさせてから上方へスライドさせることにより開口部が開放されるような形状となっている。
【発明の効果】
【０００９】
この発明のエレベータ制御盤及びエレベータ装置は、表カバーの曲げ部にスリットが設けられており、表カバーの開閉動作を案内するとともに表カバーがケースから外れるのを阻止する軸部材がケースの側面に設けられており、スリットの形状が、表カバーを制御盤本体の前方へスライドさせてから上方へスライドさせることにより開口部が開放されるような形状となっているので、表カバーとかご及び安全柵との干渉を避けつつ、表カバーを制御盤本体に接続したまま、開口部を開放することができる。
【図面の簡単な説明】
【００１０】
【図１】この発明の実施の形態１による機械室レスエレベータを示す概略の構成図である。
【図２】図１のエレベータ制御盤を示す正面図である。
【図３】図２のエレベータ制御盤を示す左側面図である。
【図４】図２の第１ないし第３の分割カバーを全開位置に展開させた状態を示す正面図である。
【図５】図４のエレベータ制御盤を示す左側面図である。
【図６】図２の第１の分割カバーの開放動作途中の状態を示す斜視図である。
【図７】図６の要部を拡大して示す斜視図である。
【図８】この発明の実施の形態２によるエレベータ制御盤を示す正面図である。
【図９】図８のエレベータ制御盤を示す左側面図である。
【図１０】図８の第１ないし第３の分割カバーを全開位置に展開させた状態を示す正面図である。
【図１１】図１０のエレベータ制御盤を示す左側面図である。
【図１２】図８のＸＩＩ−ＸＩＩ線に沿う第１及び第２の分割カバーの断面図である。
【図１３】図１２の第１の分割カバーを前方へ移動させた状態を示す断面図である。
【図１４】図１３の第１の分割カバーを真上へ移動させた状態を示す断面図である。
【図１５】図８のカバー固定ネジを緩めた状態を示す平面図である。
【図１６】図１５の第１の分割カバーを前方へ移動させてダルマ孔からカバー固定ネジを抜いた状態を示す平面図である。
【図１７】図１６の第１の分割カバーを幅方向左側へスライドさせた状態を示す平面図である。
【図１８】図１７の第１の分割カバーを真上へ移動させた後に展開する途中の状態を示す平面図である。
【図１９】図１２の第２の分割カバーを真上へ移動させた状態を示す断面図である。
【図２０】図１９の第２の分割カバーを前方へ移動させた状態を示す断面図である。
【図２１】図９の第１の分割カバーの上端部を拡大して示す側面図である。
【図２２】図９の第２の分割カバーの上端部を拡大して示す側面図である。
【図２３】図８の第１の分割カバーの下端をカバー固定ネジに掛けた状態を示す正面図である。
【図２４】図２３のエレベータ制御盤を示す左側面図である。
【図２５】図２４のＸＸＶ部を拡大して示す側面図である。
【図２６】この発明の実施の形態３によるエレベータ制御盤を示す正面図である。
【図２７】図２６の第１及び第２の分割カバーを全開位置に展開させた状態を示す左側面図である。
【図２８】図２６の要部を示す斜視図である。
【図２９】図２８の第２の分割カバーを真上へ移動させた状態を示す斜視図である。
【図３０】図２８の結合孔に結合ピンを挿入した状態を示す斜視図である。
【図３１】この発明の実施の形態４によるエレベータ制御盤を示す正面図である。
【図３２】図３１のエレベータ制御盤を示す左側面図である。
【図３３】図３１の第１の分割カバーを全開位置に展開させた状態を示す正面図である。
【図３４】図３３のエレベータ制御盤を示す左側面図である。
【図３５】図３４のフックを拡大して示す斜視図である。
【図３６】図３５のフックを示す正面図である。
【図３７】図３６のフックを示す左側面図である。
【発明を実施するための形態】
【００１１】
以下、この発明を実施するための形態について、図面を参照して説明する。
実施の形態１．
図１はこの発明の実施の形態１による機械室レスエレベータ（エレベータ装置）を示す概略の構成図である。図において、昇降路１内の上部（頂部）には、巻上機２が配置されている。巻上機２は、駆動シーブ３と、駆動シーブ３を回転させる巻上機モータ（図示せず）と、駆動シーブ３の回転を制動する巻上機ブレーキ（図示せず）とを有している。
【００１２】
駆動シーブ３には、懸架体４が巻き掛けられている。懸架体４としては、複数本のロープ又は複数本のベルトが用いられている。懸架体４は、第１の端部（かご側端部）４ａと、第２の端部（釣合おもり側端部）４ｂとを有している。第１の端部４ａは、昇降路１内の上部に設けられた第１の綱止め部５ａに接続されている。第２の端部４ｂは、昇降路１内の上部に配置された第２の綱止め部５ｂに接続されている。
【００１３】
かご６及び釣合おもり７は、懸架体４により昇降路１内に吊り下げられており、巻上機２により昇降路１内を昇降される。昇降路１内には、かご６の昇降を案内する一対のかごガイドレール（図示せず）と、釣合おもり７の昇降を案内する一対の釣合おもりガイドレール（図示せず）とが設置されている。
【００１４】
かご６の下部には、第１及び第２のかご吊り車８ａ，８ｂが設けられている。釣合おもり７の上部には、釣合おもり吊り車９が設けられている。懸架体４は、第１の端部４ａ側から順に、第１のかご吊り車８ａ、第２のかご吊り車８ｂ、駆動シーブ３及び釣合おもり吊り車９に巻き掛けられている。即ち、かご６及び釣合おもり７は、２：１ローピング方式で吊り下げられている。
【００１５】
かご６の前面には、かご出入口を開閉するかごドア装置１０が設けられている。かご６上には、かご６上での保守作業時に立設される安全柵１１が設けられている。
【００１６】
昇降路１内の上部には、かご６の運転を制御するエレベータ制御盤１２が設置されている。また、エレベータ制御盤１２は、かご６と干渉しないように、真上から見てかご６と昇降路壁１ａとの間の空間に配置されている。
【００１７】
このため、エレベータ制御盤１２としては、上下方向の寸法が幅方向（図１の紙面に垂直な方向）の寸法よりも大きく、厚さ寸法（図１の左右方向の寸法）が幅方向の寸法よりも小さい薄型縦長の制御盤が用いられている。また、エレベータ制御盤１２に対する保守作業は、かご６上から行われる。
【００１８】
図２は図１のエレベータ制御盤１２を示す正面図、図３は図２のエレベータ制御盤１２を示す左側面図である。エレベータ制御盤１２は、制御盤本体２１と、表カバーである第１ないし第３の分割カバー２２〜２４とを有している。制御盤本体２１は、前面に開口部が設けられているケース２５と、ケース２５内に収容されている複数の制御機器（図示せず）とを有している。ケース２５の開口部は、第１ないし第３の分割カバー２２〜２４により開閉される。
【００１９】
第１の分割カバー２２は、ケース２５の下段に配置されている。第２の分割カバー２３は、第１の分割カバー２２の上に隣接してケース２５の中段に配置されている。第３の分割カバー２４は、第２の分割カバー２３の上に隣接してケース２５の上段に配置されている。第１ないし第３の分割カバー２２〜２４は、それぞれ独立して開閉可能となっている。
【００２０】
第３の分割カバー２４は、複数（この例では２つ）の蝶番（ヒンジ）２６ａ，２６ｂを介してケース２５に接続されている。即ち、第３の分割カバー２４は、通常の扉式のカバーである。
【００２１】
第１の分割カバー２２は、ケース２５の開口部を覆う平板状のカバー本体２２ａと、カバー本体２２ａの幅方向の一端部に形成された断面Ｚ形（２辺曲げ）の曲げ部２２ｂとを有している。曲げ部２２ｂは、カバー本体２２ａの幅方向の一端部から後方へ直角に突出したカバー側面部２２ｃと、カバー側面部２２ｃのカバー本体２２ａとは反対側の端部から外側へ直角に突出した突出部２２ｄとを有している。
【００２２】
第１の分割カバー２２は、カバー固定具としての複数（この例では２つ）のカバー固定ネジ２７ａ，２７ｂによりケース２５に固定されている。
【００２３】
ケース２５の側面には、曲げ部２２ｂを貫通する第１の軸部材２８が立設されている。曲げ部２２ｂには、スリット２２ｅが設けられている。第１の軸部材２８は、スリット２２ｅに通されており、スリット２２ｅに沿って相対的に移動されることにより第１の分割カバー２２の開閉動作を案内する。
【００２４】
第２の分割カバー２３の構成は、第１の分割カバー２２と同様である。即ち、第２の分割カバー２３は、ケース２５の開口部を覆う平板状のカバー本体２３ａと、カバー本体２３ａの幅方向の一端部に形成された断面Ｚ形（２辺曲げ）の曲げ部２３ｂとを有している。曲げ部２３ｂは、カバー本体２３ａの幅方向の一端部から後方へ直角に突出したカバー側面部２３ｃと、カバー側面部２３ｃのカバー本体２３ａとは反対側の端部から外側へ直角に突出した突出部２３ｄとを有している。
【００２５】
第２の分割カバー２３は、カバー固定具としての複数（この例では２つ）のカバー固定ネジ２９ａ，２９ｂによりケース２５に固定されている。
【００２６】
ケース２５の側面には、曲げ部２３ｂを貫通する第２の軸部材３０が立設されている。曲げ部２３ｂには、スリット２３ｅが設けられている。第２の軸部材３０は、スリット２３ｅに通されており、スリット２３ｅに沿って相対的に移動されることにより、第２の分割カバー２３の開閉動作を案内する。
【００２７】
図４は図２の第１ないし第３の分割カバー２２〜２４を全開位置に展開させた状態を示す正面図、図５は図４のエレベータ制御盤１２を示す左側面図である。実施の形態１では、カバー固定ネジ２７ａ，２７ｂを取り外すことにより、第１の分割カバー２２が開放動作可能となり、カバー固定ネジ２９ａ，２９ｂを取り外すことにより、第２の分割カバー２３の開放動作が可能となる。
【００２８】
スリット２２ｅ，２３ｅの形状は、分割カバー２２，２３を制御盤本体２１の前方へスライドさせてから上方へスライドさせることによりケース２５の開口部が開放されるような形状となっている。また、スリット２２ｅ，２３ｅの形状は、分割カバー２２，２３を上方へスライドさせてから軸部材２８，３０を中心として分割カバー２２，２３を回転させて展開可能な形状となっている。
【００２９】
図６は図２の第１の分割カバー２２の開放動作途中の状態を示す斜視図である。スリット２２ｅは、上部水平部３１、垂直部３２、下部水平部３３及び開放保持部３４を有している。上部水平部３１は、カバー側面部２２ｃの上端部近傍に水平に設けられている。下部水平部３３は、曲げ部２２ｂの下端部近傍に、カバー側面部２２ｃと突出部２２ｄとに跨って水平に設けられている。
【００３０】
垂直部３２は、上部水平部３１のカバー本体２２ａとは反対側の端部と、下部水平部３３のカバー本体２２ａ側の端部との間に垂直に設けられている。開放保持部３４は、下部水平部３３の垂直部３２とは反対側の端部から上方へ垂直に設けられている。
【００３１】
第１の分割カバー２２が全閉位置にあるとき、第１の軸部材２８は、上部水平部３１のカバー本体２２ａ側の端部に位置している。また、第１の分割カバー２２を開放動作させるとき、第１の軸部材２８は、スリット２２ｅ内を上部水平部３１、垂直部３２及び下部水平部３３の順に相対的に移動される。そして、第１の分割カバー２２が全開位置にあるとき、第１の軸部材２８は、開放保持部３４の上端部に位置している。
【００３２】
図７は図６の要部を拡大して示す斜視図である。第１の軸部材２８は、スリット２２ｅに通された軸部３５と、軸部３５の端部に設けられており、第１の軸部材２８のスリット２２ｅからの抜けを阻止する球状の頭部３６とを有している。
【００３３】
頭部３６と第１の分割カバー２２との間には、遊び（隙間又は余裕）が設けられている。これにより、第１の分割カバー２２は、遊びの分だけケース２５の幅方向へスライド可能になっている。
【００３４】
第２の分割カバー２３のスリット２３ｅの形状、スリット２３ｅと第２の軸部材３０との位置関係、及び第２の軸部材３０の構成等は、スリット２２ｅ及び第１の軸部材２８の場合と同様である。
【００３５】
次に、動作について説明する。エレベータ制御盤１２の保守作業を行う場合、かご６上に作業員が乗り込み、図２の２点鎖線で示すように、かご６上の床面がエレベータ制御盤１２の下端部よりも若干下方に位置するようにかご６を移動させる。そして、カバー固定ネジ２７ａ，２７ｂを取り外す。
【００３６】
この後、安全柵１１と第１の分割カバー２２との間の隙間を利用して、第１の分割カバー２２を手前（安全柵１１側）へ引き出す。次に、第１の分割カバー２２をケース２５の幅方向左側へスライドさせる。これにより、第２の分割カバー２３との干渉を避け、第１の分割カバー２２を上方へスライドさせることが可能となる。
【００３７】
この状態で、第１の軸部材２８が垂直部３２の下端部に移動するまで、第１の分割カバー２２を真上へスライドさせる。これにより、第１の分割カバー２２の下端部は、安全柵１１の上端部よりも上方へ移動される。即ち、第１の分割カバー２２は、かご６上の床面を第１の分割カバー２２の下端と同じ高さにしたとき、安全柵１１の上端よりも上方までスライド可能になっている。
【００３８】
この後、第１の軸部材２８を中心として第１の分割カバー２２を約９０°展開させる。そして、第１の軸部材２８が開放保持部３４の上端に移動するように、第１の分割カバー２２を若干下方へ移動させる。このとき、第１の分割カバー２２を安全柵１１に載せ、安全柵１１により第１の分割カバー２２を支持するようにしてもよい。なお、第１の分割カバー２２を全閉位置へ戻す場合は、上記の逆の手順である。
【００３９】
また、第２の分割カバー２３の開放動作及び閉鎖動作は、第１の分割カバー２２の場合と同様である。エレベータ制御盤１２の高さ寸法が大きい場合、必要に応じてかご６を上下動させながらエレベータ制御盤１２に対する保守作業を行えばよい。
【００４０】
このように、実施の形態１のエレベータ制御盤１２によれば、図４に示すように、第１及び第２の分割カバー２２，２３とかご６及び安全柵１１との干渉を避けつつ、第１及び第２の分割カバー２２，２３を制御盤本体２１に接続したまま、ケース２５の開口部を開放することができる。このため、第１及び第２の分割カバー２２，２３の落下に対する予防措置を講ずる必要がない。
【００４１】
また、第１及び第２の分割カバー２２，２３を上方へスライドさせてから軸部材２８，３０を中心として第１及び第２の分割カバー２２，２３を回転させて展開可能となっているので、第１及び第２の分割カバー２２，２３を同時に全開位置に移動させることができる。
【００４２】
さらに、第１及び第２の軸部材２８，３０の頭部３６と第１及び第２の分割カバー２２，２３との間に遊びが設けられており、遊びの分だけ第１及び第２の分割カバー２２，２３がケース２５の幅方向へスライド可能になっているので、上側に隣接するカバーとの干渉を容易に避けつつ、第１及び第２の分割カバー２２，２３を上方へ移動させることができる。
【００４３】
さらにまた、第１の分割カバー２２の高さ寸法は、安全柵１１の高さ寸法よりも大きくなっており、第１の分割カバー２２は、かご６上の床面を第１の分割カバー２２の下端と同じ高さにしたとき、安全柵１１の上端よりも上方までスライド可能になっている。従って、安全柵１１との干渉をより確実に回避することができる。
【００４４】
なお、実施の形態１では、全ての分割カバー２２〜２４が左側に展開する構成を示したが、分割カバー２２〜２４の全て又は一部を右側に展開してもよい。
また、実施の形態１では、３枚の表カバーを用いたが、表カバーは、１枚、２枚又は４枚以上であってもよい。２枚以上の表カバーを用いる場合、それらの表カバーのうち何枚にこの発明を適用してもよい。
さらに、２枚以上の表カバーを用いる場合、各表カバーの高さ寸法は同じでなくてもよく、任意に設定することができる。
【００４５】
実施の形態２．
次に、図８はこの発明の実施の形態２によるエレベータ制御盤１２を示す正面図、図９は図８のエレベータ制御盤１２を示す左側面図、図１０は図８の第１ないし第３の分割カバー２２〜２４を全開位置に展開させた状態を示す正面図、図１１は図１０のエレベータ制御盤１２を示す左側面図である。
【００４６】
図において、第１の分割カバー２２のカバー本体２２ａには、カバー固定ネジ２７ａ，２７ｂを通す複数（この例では２つ）のダルマ孔（snowman type holes）２２ｆ，２２ｇが設けられている。同様に、第２の分割カバー２３のカバー本体２３ａには、カバー固定ネジ２９ａ，２９ｂを通す複数（この例では２つ）のダルマ孔２３ｆ，２３ｇが設けられている。
【００４７】
図１２は図８のＸＩＩ−ＸＩＩ線に沿う第１及び第２の分割カバー２２，２３の断面図である。第１の分割カバー２２の上端部には、カバー本体２２ａをケース２５側へ直角に折り曲げてなる折曲部２２ｈと、折曲部２２ｈの端部を上側へ直角に折り曲げてなる重なり部２２ｉとが設けられている。即ち、カバー本体２２ａの上端部には、断面Ｚ形の曲げ加工が施されている。
【００４８】
第２の分割カバー２３の下端部には、カバー本体２３ａをケース２５側へ直角に折り曲げてなる折曲部２３ｈと、折曲部２３ｈの端部を下側へ直角に折り曲げてなる重なり部２３ｉとが設けられている。即ち、カバー本体２３ａの下端部には、断面Ｚ形の曲げ加工が施されている。
【００４９】
重なり部２２ｉ，２３ｉは、第１及び第２の分割カバー２２，２３が全閉位置にあるとき、エレベータ制御盤１２を正面から見て前後に重ねて配置されている。また、重なり部２３ｉは、重なり部２２ｉの後ろ側に配置されている。これにより、エレベータ制御盤１２内への水の浸入が防止されている。
【００５０】
第２の分割カバー２３をケース２５に固定した状態で第１の分割カバー２２を開く場合、カバー固定ネジ２７ａ，２７ｂを十分に緩めて、図１３に示すように、重なり部２２ｉが第２の分割カバー２３と干渉しない位置まで第１の分割カバー２２を前方へ移動させる。
【００５１】
この後、図１４に示すように、カバー固定ネジ２７ａ，２７ｂがダルマ孔２２ｆ，２２ｇの大径部に入るまで、第１の分割カバー２２を真上へ移動させる。そして、第１の分割カバー２２を再度前方へ移動させ、ダルマ孔２２ｆ，２２ｇからカバー固定ネジ２７ａ，２７ｂを抜く。
【００５２】
図１５は図８のカバー固定ネジ２７ａ，２７ｂを緩めた状態を示す平面図、図１６は図１５の第１の分割カバー２２を前方へ移動させてダルマ孔２２ｆ，２２ｇからカバー固定ネジ２７ａ，２７ｂを抜いた状態を示す平面図である。この後の動作は、実施の形態１と同様であり、図１７に示すように、第１の分割カバー２２をケース２５の幅方向左側へスライドさせる。
【００５３】
この状態で、第１の軸部材２８が垂直部３２の下端部に移動するまで、第１の分割カバー２２を真上へスライドさせる。この後、図１８に示すように、第１の軸部材２８を中心として第１の分割カバー２２を約９０°展開させる。そして、第１の軸部材２８が開放保持部３４の上端に移動するように、第１の分割カバー２２を若干下方へ移動させる。また、第１の分割カバー２２を全閉位置へ戻す場合は、上記の逆の手順である。
【００５４】
一方、第１の分割カバー２２をケース２５に固定した状態で第２の分割カバー２３を開く場合、カバー固定ネジ２９ａ，２９ｂを緩めて、図１９に示すように、重なり部２３ｉが重なり部２２ｉと干渉しない位置まで真上へ移動させる。これにより、カバー固定ネジ２９ａ，２９ｂがダルマ孔２３ｆ，２３ｇの大径部に入る。即ち、重なり部２２ｉ，２３ｉの重なり寸法は、重なりを解消することによりカバー固定ネジ２９ａ，２９ｂがダルマ孔２３ｆ，２３ｇ内を小径部から大径部へ移動するような寸法に設定されている。
【００５５】
この後、図２０に示すように、第２の分割カバー２３を前方へ移動させ、ダルマ孔２３ｆ，２３ｇからカバー固定ネジ２９ａ，２９ｂを抜く。この後の動作は、第１の分割カバー２２の開放動作と同様である。また、第２の分割カバー２３を全閉位置へ戻す場合は、上記の逆の手順である。
【００５６】
図２１は図９の第１の分割カバー２２の上端部を拡大して示す側面図である。実施の形態２のスリット２２ｅでは、上部水平部３１と垂直部３２との間に、ダルマ孔２２ｆ，２２ｇからカバー固定ネジ２７ａ，２７ｂを抜くためのＬ字形のネジ抜き部３７が設けられている。
【００５７】
図２２は図９の第２の分割カバー２３の上端部を拡大して示す側面図である。実施の形態２のスリット２３ｅでは、重なり部２３ｉの重なり部２２ｉとの干渉を解除するための干渉解除部３８が、上部水平部３１のカバー本体２３ａ側の端部から上方へ垂直に設けられている。第２の分割カバー２３が全閉位置にあるとき、第２の軸部材３０は、干渉解除部３８の上端部に位置している。他の構成及び動作は、実施の形態１と同様である。
【００５８】
このように、実施の形態２のエレベータ制御盤１２によれば、図１０に示すように、第１及び第２の分割カバー２２，２３とかご６及び安全柵１１との干渉を避けつつ、第１及び第２の分割カバー２２，２３を制御盤本体２１に接続したまま、ケース２５の開口部を開放することができ、実施の形態１と同様の効果を得ることができる。
【００５９】
また、第１の分割カバー２２にダルマ孔２２ｆ，２２ｇを設け、第２の分割カバー２３にダルマ孔２３ｆ，２３ｇを設けたので、カバー固定ネジ２７ａ，２７ｂ，２９ａ，２９ｂをケース２５から取り外すことなく、第１及び第２の分割カバー２２，２３を開くことができ、カバー固定ネジ２７ａ，２７ｂ，２９ａ，２９ｂの落下や紛失を防止することができる。
【００６０】
さらに、カバー固定ネジ２７ａ，２７ｂ，２９ａ，２９ｂをケース２５に取り付けたまま第１及び第２の分割カバー２２，２３を開くことができるため、例えば第１の分割カバー２２のみを開く場合に、図２３〜２５に示すように、上方へスライドされた第１の分割カバー２２の下端をカバー固定ネジ２７ａ，２７ｂに掛けることにより、開口部の第１の分割カバー２２に対応する部分の開放状態を容易に保持することができる。
【００６１】
なお、軸部材２８，３０の軸部３５とスリット２２ｅ，２３ｅの上部水平部３１の幅との間に遊びを設け、この遊びを利用して、ダルマ孔２２ｆ，２２ｇからカバー固定ネジ２７ａ，２７ｂを抜いたり、重なり部２２ｉと重なり部２３ｉとの干渉を解消したりすることもできる。これにより、スリット２２ｅ，２３ｅの形状を、実施の形態１と同様に単純化することができる。
【００６２】
実施の形態３．
次に、図２６はこの発明の実施の形態３によるエレベータ制御盤１２を示す正面図、図２７は図２６の第１及び第２の分割カバー２２，２３を全開位置に展開させた状態を示す左側面図である。
【００６３】
実施の形態１、２では扉式の第３の分割カバー２４を用いたが、実施の形態３では、第１及び第２の分割カバー２２，２３のみを用いている。また、第１及び第２の分割カバー２２，２３には、第１及び第２の分割カバー２２，２３を展開した状態で結合して展開した状態に保持する結合部４０が設けられている。
【００６４】
図２８は図２６の要部を示す斜視図である。結合部４０は、第１の分割カバー２２の重なり部２２ｉに設けられた結合孔４１と、第２の分割カバー２３の重なり部２３ｉに設けられた結合ピン４２とを有している。第１及び第２の分割カバー２２，２３が全開位置にあるとき、結合ピン４２は、結合孔４１とは反対側へ突出しており、結合孔４１に挿入されていない。
【００６５】
図２９は図２８の第２の分割カバー２３を真上へ移動させた状態を示す斜視図、図３０は図２８の結合孔４１に結合ピン４２を挿入した状態を示す斜視図である。実施の形態３では、第１及び第２の分割カバー２２，２３が全開位置にあるとき、全閉位置にあるときに対して、重なり部２２ｉ，２３ｉの前後を逆にし、結合ピン４２を結合孔４１に挿入する。これにより、第１及び第２の分割カバー２２，２３が展開した状態に保持される。他の構成は、実施の形態１又は２と同様である。
【００６６】
このような構成によれば、第１及び第２の分割カバー２２，２３の可動範囲が結合部４０により拘束され、他の保持手段（機構）を用いることなく、第１及び第２の分割カバー２２，２３を展開した状態に保持することができる。
【００６７】
実施の形態４．
次に、図３１はこの発明の実施の形態４によるエレベータ制御盤１２を示す正面図、図３２は図３１のエレベータ制御盤１２を示す左側面図、図３３は図３１の第１の分割カバー２２を全開位置に展開させた状態を示す正面図、図３４は図３３のエレベータ制御盤１２を示す左側面図である。
【００６８】
第２の分割カバー２３の曲げ部２３ｂ（カバー側面部２３ｃ）には、フック４４が設けられている。第１の分割カバー２２の曲げ部２２ｂ（突出部２２ｄ）には、第１の分割カバー２２が全開位置にあるときにフック４４が通されるフック孔４５が設けられている。このフック孔４５を利用して、第１の分割カバー２２を展開した状態でフック４４に掛けることにより、第１の分割カバー２２の展開状態が保持される。
【００６９】
図３５は図３４のフック４４を拡大して示す斜視図、図３６は図３５のフック４４を示す正面図、図３７は図３６のフック４４を示す左側面図である。フック４４は、ピンの先端に球状の外れ止めを設けたものである。但し、フック４４の形状はこれに限定されず、単なるＬ字形の金具等であってもよい。勿論、第１の分割カバー２２を全開位置に移動させる際に、フック４４が第１の分割カバー２２に干渉することはない。他の構成及び動作は、実施の形態１〜３のいずれかと同様である。
【００７０】
このような構成によれば、簡単な構成により、第１の分割カバー２２の展開状態をより確実に保持することができる。また、フック孔４５は、第１の分割カバー２２を閉じた状態において、エレベータ制御盤１２の側面から外側へ突出した突出部２２ｄに位置するため、機能的及び法規的に問題にはならない。
【００７１】
なお、実施の形態４では、第１の分割カバー２２の上に隣接する第２の分割カバー２３にフック４４を設けたが、表カバーが１枚のみの場合はケースにフックを設けたり、上に隣接する表カバーが扉式カバーの場合は扉式カバーにフックを設けたりしてもよい。
また、実施の形態１〜４では、カバー固定ネジ２７ａ，２７ｂをカバー本体２２ａの左右に配置したが、左右のいずれか一方のみに配置してもよい。
さらに、実施の形態１〜４では、カバー本体２２ａ，２３ａの幅方向一端部を曲げ加工して曲げ部２２ｂ，２３ｂを形成したが、カバー本体２２ａ，２３ａの幅方向一端部に別部材を固定して曲げ部としてもよい。
さらにまた、エレベータ装置全体のレイアウトは図１に限定されるものではなく、本発明のエレベータ制御盤は、他のレイアウトのエレベータ装置に適用してもよい。
【図１】
2014054134.tif 000003
【図２】
2014054134.tif 000004
【図３】
2014054134.tif 000005
【図４】
2014054134.tif 000006
【図５】
2014054134.tif 000007
【図６】
2014054134.tif 000008
【図７】
2014054134.tif 000009
【図８】
2014054134.tif 000010
【図９】
2014054134.tif 000011
【図１０】
2014054134.tif 000012
【図１１】
2014054134.tif 000013
【図１２】
2014054134.tif 000014
【図１３】
2014054134.tif 000015
【図１４】
2014054134.tif 000016
【図１５】
2014054134.tif 000017
【図１６】
2014054134.tif 000018
【図１７】
2014054134.tif 000019
【図１８】
2014054134.tif 000020
【図１９】
2014054134.tif 000021
【図２０】
2014054134.tif 000022
【図２１】
2014054134.tif 000023
【図２２】
2014054134.tif 000024
【図２３】
2014054134.tif 000025
【図２４】
2014054134.tif 000026
【図２５】
2014054134.tif 000027
【図２６】
2014054134.tif 000028
【図２７】
2014054134.tif 000029
【図２８】
2014054134.tif 000030
【図２９】
2014054134.tif 000031
【図３０】
2014054134.tif 000032
【図３１】
2014054134.tif 000033
【図３２】
2014054134.tif 000034
【図３３】
2014054134.tif 000035
【図３４】
2014054134.tif 000036
【図３５】
2014054134.tif 000037
【図３６】
2014054134.tif 000038
【図３７】
2014054134.tif 000039
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
前面に開口部が設けられているケースを有する制御盤本体、及び
前記開口部を開閉する表カバー
を備え、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、かつ前記表カバーを上方へスライドさせてから前記軸部材を中心として前記表カバーを回転させて展開可能な形状となっていることを特徴とするエレベータ制御盤。
【請求項２】
前記曲げ部は、前記表カバーの幅方向一端部を断面Ｚ形に曲げて形成されていることを特徴とする請求項１記載のエレベータ制御盤。
【請求項３】
前記軸部材は、前記スリットに通された軸部と、前記軸部の端部に設けられており、前記軸部材の前記スリットからの抜けを阻止する頭部とを有しており、
前記頭部と前記表カバーとの間には遊びが設けられており、遊びの分だけ前記表カバーが前記ケースの幅方向へスライド可能になっていることを特徴とする請求項１又は請求項２に記載のエレベータ制御盤。
【請求項４】
前面に開口部が設けられているケースを有する制御盤本体、及び
前記開口部を開閉する表カバー
を備え、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、
前記表カバーは、全閉位置にあるときカバー固定ネジにより前記ケースに固定されており、
前記表カバーには、前記カバー固定ネジを通すダルマ孔が設けられており、
上方へスライドされた前記表カバーの下端を前記カバー固定ネジに掛けることにより、前記開口部が開放された状態が保持されることを特徴とするエレベータ制御盤。
【請求項５】
前面に開口部が設けられているケースを有する制御盤本体、及び
前記開口部を開閉する表カバー
を備え、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、
前記表カバーは、第１の分割カバーと、前記第１の分割カバーの上に隣接して配置された第２の分割カバーとを含み、
前記第１及び第２の分割カバーのそれぞれに前記曲げ部及び前記スリットが設けられており、
前記軸部材は、前記第１の分割カバーに対応した第１の軸部材と、前記第２の分割カバーに対応した第２の軸部材とを含み、
前記第１及び第２の分割カバーの前記スリットの形状は、前記第１及び第２の分割カバーを上方へスライドさせてから前記第１及び第２の軸部材を中心として前記第１及び第２の分割カバーを回転させて展開可能な形状となっており、
前記第１及び第２の分割カバーには、前記第１及び第２の分割カバーを展開した状態で結合して展開した状態に保持する結合部が設けられていることを特徴とするエレベータ制御盤。
【請求項６】
前面に開口部が設けられているケースを有する制御盤本体、及び
前記開口部を開閉する表カバー
を備え、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、
前記表カバーは、第１の分割カバーと、前記第１の分割カバーの上に隣接して配置された第２の分割カバーとを含み、
前記第１及び第２の分割カバーのそれぞれに前記曲げ部及び前記スリットが設けられており、
前記軸部材は、前記第１の分割カバーに対応した第１の軸部材と、前記第２の分割カバーに対応した第２の軸部材とを含み、
前記第１の分割カバーの前記スリットの形状は、前記第１の分割カバーを上方へスライドさせてから前記第１の軸部材を中心として前記第１の分割カバーを回転させて展開可能な形状となっており、
前記第２の分割カバーの前記曲げ部には、フックが設けられており、
前記第１の分割カバーを展開した状態で前記フックに掛けることにより、前記第１の分割カバーの展開状態が保持されることを特徴とするエレベータ制御盤。
【請求項７】
昇降路内を昇降されるかご、及び
前記昇降路内に設けられており、保守作業が前記かご上から行われるエレベータ制御盤
を備え、
前記エレベータ制御盤は、前面に開口部が設けられているケースを有する制御盤本体と、前記開口部を開閉する表カバーとを備えており、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、かつ前記表カバーを上方へスライドさせてから前記軸部材を中心として前記表カバーを回転させて展開可能な形状となっていることを特徴とするエレベータ装置。
【請求項８】
昇降路内を昇降されるかご、及び
前記昇降路内に設けられており、保守作業が前記かご上から行われるエレベータ制御盤
を備え、
前記エレベータ制御盤は、前面に開口部が設けられているケースを有する制御盤本体と、前記開口部を開閉する表カバーとを備えており、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、
前記表カバーは、全閉位置にあるときカバー固定ネジにより前記ケースに固定されており、
前記表カバーには、前記カバー固定ネジを通すダルマ孔が設けられており、
上方へスライドされた前記表カバーの下端を前記カバー固定ネジに掛けることにより、前記開口部が開放された状態が保持されることを特徴とするエレベータ装置。
【請求項９】
昇降路内を昇降されるかご、及び
前記昇降路内に設けられており、保守作業が前記かご上から行われるエレベータ制御盤
を備え、
前記エレベータ制御盤は、前面に開口部が設けられているケースを有する制御盤本体と、前記開口部を開閉する表カバーとを備えており、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、
前記表カバーは、第１の分割カバーと、前記第１の分割カバーの上に隣接して配置された第２の分割カバーとを含み、
前記第１及び第２の分割カバーのそれぞれに前記曲げ部及び前記スリットが設けられており、
前記軸部材は、前記第１の分割カバーに対応した第１の軸部材と、前記第２の分割カバーに対応した第２の軸部材とを含み、
前記第１及び第２の分割カバーの前記スリットの形状は、前記第１及び第２の分割カバーを上方へスライドさせてから前記第１及び第２の軸部材を中心として前記第１及び第２の分割カバーを回転させて展開可能な形状となっており、
前記第１及び第２の分割カバーには、前記第１及び第２の分割カバーを展開した状態で結合して展開した状態に保持する結合部が設けられていることを特徴とするエレベータ装置。
【請求項１０】
昇降路内を昇降されるかご、及び
前記昇降路内に設けられており、保守作業が前記かご上から行われるエレベータ制御盤
を備え、
前記エレベータ制御盤は、前面に開口部が設けられているケースを有する制御盤本体と、前記開口部を開閉する表カバーとを備えており、
前記表カバーの幅方向一端部には、曲げ部が設けられており、
前記曲げ部には、スリットが設けられており、
前記ケースの側面には、前記スリットに沿って相対的に移動されることにより前記表カバーの開閉動作を案内するとともに、前記表カバーが前記ケースから外れるのを阻止する軸部材が設けられており、
前記スリットの形状は、前記表カバーを前記制御盤本体の前方へスライドさせてから上方へスライドさせることにより前記開口部が開放されるような形状となっており、
前記表カバーは、第１の分割カバーと、前記第１の分割カバーの上に隣接して配置された第２の分割カバーとを含み、
前記第１及び第２の分割カバーのそれぞれに前記曲げ部及び前記スリットが設けられており、
前記軸部材は、前記第１の分割カバーに対応した第１の軸部材と、前記第２の分割カバーに対応した第２の軸部材とを含み、
前記第１の分割カバーの前記スリットの形状は、前記第１の分割カバーを上方へスライドさせてから前記第１の軸部材を中心として前記第１の分割カバーを回転させて展開可能な形状となっており、
前記第２の分割カバーの前記曲げ部には、フックが設けられており、
前記第１の分割カバーを展開した状態で前記フックに掛けることにより、前記第１の分割カバーの展開状態が保持されることを特徴とするエレベータ装置。
【国際調査報告】
2014054134.tif 000040
2014054134.tif 000041
2014054134.tif 000042
2014054134.tif 000043